【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
潜像を形成するための感光体と、前記感光体上に潜像を形成するための光ビームを出射する光源と、前記光ビームが前記感光体上を主走査方向に移動するように前記光ビームを偏向する偏向手段とを有する画像形成装置のための画像データを生成する画像処理装置であって、
前記感光体上に前記光ビームによって前記主走査方向に描かれる走査線の副走査方向への湾曲に応じて、注目画素の画像データの走査ラインを変更する変更手段と、
前記走査ラインが変更された画像データの画素と前記副走査方向において隣接し、白を示す画素の画像データを、１画素未満の大きさのドットを示す画像データに補正する補正手段と、
パルス幅テーブルを用いて、前記変更手段によって走査ラインが変更された画像データおよび前記補正手段によって補正された画像データを前記光源を制御するためのパルス幅データに変換するパルス幅変調手段と
を有し、
前記パルス幅テーブルは、画像データとパルス幅データとを対応付けたテーブルであり、
前記パルス幅変調手段は、前記変更手段によって走査ラインが変更された画像データと前記補正手段によって補正された画像データとで異なるパルス幅テーブルを使用することを特徴とする画像処理装置。
【請求項２】
異なる温度及び湿度にそれぞれ対応した複数のパルス幅テーブルを保持する保持手段とを更に備え、
前記パルス幅変調手段は、
前記補正手段によって補正された画像データについては、前記保持手段が保持する前記複数のパルス幅テーブルから、前記画像形成装置内の環境条件に応じて選択したパルス幅テーブルを用いて、前記パルス幅データに変換する
ことを特徴とする請求項１に記載の画像処理装置。
【請求項３】
前記パルス幅変調手段は、
前記補正手段によって補正された画像データについては、前記画像形成装置内の環境条件に応じて算出した補正係数によって前記パルス幅テーブルを補正して、補正後のパルス幅テーブルを用いて、前記パルス幅データに変換する
ことを特徴とする請求項１に記載の画像処理装置。
【請求項４】
潜像を形成するための感光体と、
前記感光体上に潜像を形成するための光ビームを出射する光源と、
前記光ビームが前記感光体上を主走査方向に移動するように前記光ビームを偏向する偏向手段と、
前記感光体上に前記光ビームによって前記主走査方向に描かれる走査線の副走査方向への湾曲に応じて、注目画素の画像データの走査ラインを変更する変更手段と、
前記走査ラインが変更された画像データの画素と前記副走査方向において隣接し、白を示す画素の画像データを、１画素未満の大きさのドットを示す画像データに補正する補正手段と、
パルス幅テーブルを用いて、前記変更手段によって走査ラインが変更された画像データおよび前記補正手段によって補正された画像データを前記光源を制御するためのパルス幅データに変換するパルス幅変調手段と
を有し、
前記パルス幅テーブルは、画像データとパルス幅データとを対応付けたテーブルであり、
前記パルス幅変調手段は、前記変更手段によって走査ラインが変更された画像データと前記補正手段によって補正された画像データとで異なるパルス幅テーブルを使用することを特徴とする画像形成装置。
【請求項５】
潜像を形成するための感光体と、前記感光体上に潜像を形成するための光ビームを出射する光源と、前記光ビームが前記感光体上を主走査方向に移動するように前記光ビームを偏向する偏向手段とを有する画像形成装置のための画像データを生成する画像処理方法であって、
変更手段が、前記感光体上に前記光ビームによって前記主走査方向に描かれる走査線の副走査方向への湾曲に応じて、注目画素の画像データの走査ラインを変更する変更工程と、
補正手段が、前記走査ラインが変更された画像データの画素と前記副走査方向において隣接し、白を示す画素の画像データを、１画素未満の大きさのドットを示す画像データに補正する補正工程と、
パルス幅変調手段が、パルス幅テーブルを用いて、前記変更工程において走査ラインが変更された画像データおよび前記補正工程において補正された画像データを前記光源を制御するためのパルス幅データに変換するパルス幅変調工程と
を含み、
前記パルス幅テーブルは、画像データとパルス幅データとを対応付けたテーブルであり、
前記パルス幅変調工程は、前記変更工程において走査ラインが変更された画像データと前記補正工程において補正された画像データとで異なるパルス幅テーブルを使用することを特徴とする画像処理方法。
【手続補正２】
【補正対象書類名】明細書
【補正対象項目名】発明の名称
【補正方法】変更
【補正の内容】
【発明の名称】画像処理装置、画像形成装置及び画像処理方法
【手続補正３】
【補正対象書類名】明細書
【補正対象項目名】０００１
【補正方法】変更
【補正の内容】
【０００１】
本発明は、画像データを補正するものに関する。
【手続補正４】
【補正対象書類名】明細書
【補正対象項目名】０００７
【補正方法】変更
【補正の内容】
【０００７】
本発明は上記従来技術の課題を解決するためになされたもので、画像データの補正により、走査線の湾曲を低減し高品質な画像形成を実現できるようにすることを目的とする。
【手続補正５】
【補正対象書類名】明細書
【補正対象項目名】０００８
【補正方法】変更
【補正の内容】
【０００８】
上記目的を達成するため、請求項１に係る画像処理装置は、
潜像を形成するための感光体と、前記感光体上に潜像を形成するための光ビームを出射する光源と、前記光ビームが前記感光体上を主走査方向に移動するように前記光ビームを偏向する偏向手段とを有する画像形成装置のための画像データを生成する画像処理装置であって、
前記感光体上に前記光ビームによって前記主走査方向に描かれる走査線の副走査方向への湾曲に応じて、注目画素の画像データの走査ラインを変更する変更手段と、
前記走査ラインが変更された画像データの画素と前記副走査方向において隣接し、白を示す画素の画像データを、１画素未満の大きさのドットを示す画像データに補正する補正手段と、
パルス幅テーブルを用いて、前記変更手段によって走査ラインが変更された画像データおよび前記補正手段によって補正された画像データを前記光源を制御するためのパルス幅データに変換するパルス幅変調手段と
を有し、
前記パルス幅テーブルは、画像データとパルス幅データとを対応付けたテーブルであり、
前記パルス幅変調手段は、前記変更手段によって走査ラインが変更された画像データと前記補正手段によって補正された画像データとで異なるパルス幅テーブルを使用することを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、画像データの補正により、走査線の湾曲を低減し高品質な画像形成を実現することができる。
【手続補正９】
【補正対象書類名】明細書
【補正対象項目名】００２１
【補正方法】変更
【補正の内容】
【００２１】
図３は、リーダ部１１に含まれる画像処理部の内部構成について説明する図である。ＣＣＤ３０１により読み込まれた原稿画像の輝度信号は、Ａ／Ｄ変換部３０２に入力されデジタル信号に変換される。このデジタル輝度信号はシェーディング部３０３に送られ、ＣＣＤ個々の素子の感度に関するバラツキによる光量ムラがシェーディング補正される。シェーディング補正することにより、ＣＣＤの測定再現性が向上する。シェーディング部３０３で補正された輝度信号は、更にＬＯＧ変換部３０４によりＬＯＧ変換される。続いて、ＬＯＧ変換された信号は、γＬＵＴ３０５に送られ、プリンタ装置が理想とする濃度特性と、γ特性にしたがって処理された出力画像濃度特性とが一致するように作成されたγ−ＬＵＴ３０５によって変換される。こうして変換された画像信号は、プリンタ部１２の画像メモリ３１０に送信され、格納される。
【手続補正１０】
【補正対象書類名】明細書
【補正対象項目名】００２２
【補正方法】変更
【補正の内容】
【００２２】
図４、図５を用いて、本実施形態に係る露光装置４０について説明する。露光装置４０は、レーザ駆動部４５、回転多面鏡モータ４１、回転多面鏡４２、光学系ｆ−θレンズ４３、及び反射ミラー４４を含む。レーザ駆動部４５から発射されたレーザＬは、回転多面鏡モータ４１上に設置された回転多面鏡４２の反射面で反射され、露光面で線速度一定になるような光学系ｆ−θレンズ４３を通り、更に反射ミラー４４で反射され、感光ドラム４に到達する。この時、反射されたレーザＬの軌跡は、図４のような理想的な直線を描くことが望ましい。
【手続補正１１】
【補正対象書類名】明細書
【補正対象項目名】００３４
【補正方法】変更
【補正の内容】
【００３４】
（４）画像形成時における第１補正データを用いた画像データの加工
ステップＳ６５で画像補正部４８が第１補正データにしたがって、入力された画像データの加工を行う（第１の補正）。
【手続補正１２】
【補正対象書類名】明細書
【補正対象項目名】００３８
【補正方法】変更
【補正の内容】
【００３８】
（５）平滑化処理
図６のステップＳ６６において、ステップＳ６５の第１の補正で並べ替え処理された補正ビットマップデータに対して、平滑化処理（第２の補正）を行う。この処理の流れを図１０Ａ、Ｂ及び図１５Ａ〜Ｄを用いて説明する。